(57)【要約】【課題】本発明は、一覧式の操作表示部を有するハードウェアタイプのナースコール親機に装着して、患者のプライバシー保護機能を発揮するプライバシー保護用アタッチメントを提供することを課題とする。【解決手段】本発明は、操作表示列ユニットの氏名表示部全体を被覆する透明板と、前記透明板にヒンジを介して一体の遮蔽板とを有し、前記遮蔽板を開閉することにより、氏名表示部の可視、不可視状態を切替えられるようにしたことを特徴とする。【選択図】図１
2007174452.tif 000002
【特許請求の範囲】
【請求項１】
個別表示灯および氏名表示部を有する個別操作表示部を縦に複数並べて操作表示列ユニットとなし、これを１又は複数横に並べて構成した一覧式の操作表示部を有するナースコール親機に後付で固定できるプライバシー保護用アタッチメントであって、前記操作表示列ユニットの氏名表示部全体を被覆する透明板と、前記透明板にヒンジを介して一体の遮蔽板とを有し、前記遮蔽板を開閉することにより、氏名表示部の可視、不可視状態を切替えられるようにしたことを特徴とするプライバシー保護用アタッチメント。
【発明の詳細な説明】
【技術分野】
【０００１】
本発明は、病院や介護施設で使用されるナースコール親機に後付で固定できるプライバシー保護用アタッチメントに係わり、特に、ナースコール操作に支障を与えることなく、患者情報を適宜保護するために使用できるプライバシー保護用アタッチメントに関する。
【背景技術】
【０００２】
平成１６年１２月には、厚生労働省から、医療・介護施設における個人情報の取り扱いのためのガイドラインが公表され、また、平成１７年４月には、個人情報の保護に関する法律が全面実施となった。このような情勢の中、医療・介護施設においても、患者の個人情報の保護対策が急務となり、患者と医療従事者とのあいだのコミュニケーション手段であるナースコールシステムに関しても、個人情報保護対策が欠かせないものとなってきた。
【０００３】
ナースコールシステムは一般にナースセンターなどに設置されるナースコール親機と病室の出入口に設置される個別廊下灯と、患者のベッドサイドに設置されるナースコール子機とで構成され、その中の個別廊下灯については、病室廊下を行き来する見舞い客など不特定多数の人の目に入りやすいということで、入院患者の名前などを、できるだけ人目に触れさせないようにするためにいろいろ工夫がなされている。
【０００４】
例えば、特許文献１には、患者名を隠せるプライバシー保護カバーを備えた個別廊下灯が記載されている。
【０００５】
また、特許文献２には、ＩＤカードを所持する人だけが入院患者情報を見られるようにしたＬＣＤタイプの病院用情報表示板が記載されている。
【０００６】
ところが、ナースコール親機に関しては、患者のプライバシー特に氏名を保護できるようにしたものはない。
【０００７】
そのため、ナースセンターにあるナースコール親機を見舞客などが覗き込んで困っている、というようなクレームが頻繁に寄せられているのが現状である。
【０００８】
もっとも、ナースコール親機がＬＣＤタイプのモニターを備えたソフトウエア製品であれば、特許文献２に記載された発明を適用して個人情報の保護を図ることも可能であろう。しかし、この発明は、一覧形式で患者名を表示する操作表示部を有する、従来のハードウェアタイプのナースコール親機に適用することはできない。
【０００９】
【特許文献１】・・・・特開２００４−９４７６４号公報
【特許文献２】・・・・特開２００３−８８５６１号公報
【発明の開示】
【発明が解決しようとする課題】
【００１０】
本発明は、上記のような、ハードウェアタイプのナースコール親機に関して、個人情報保護の問題を解決することを課題とする。
【課題を解決するための手段】
【００１１】
本発明のプライバシー保護用アタッチメントは、個別表示灯および氏名表示部を有する個別操作表示部を縦に複数並べて操作表示列ユニットとなし、これを１又は複数横に並べて構成した一覧式の操作表示部を有するナースコール親機に対して、これに後付で固定できるプライバシー保護用アタッチメントであって、前記操作表示列ユニットの氏名表示部全体を被覆できる透明板と、前記透明板にヒンジを介して一体の遮蔽板とを有し、前記遮蔽板を開閉することにより、ナースコール親機の氏名表示部の可視、不可視状態を切替えられるようにしたことを特徴とする。
【発明の効果】
【００１２】
本発明のプライバシー保護用アタッチメントは、前記のように構成されているので、ナースコール親機に後付で固定することができ、既設のナースコール親機であっても、これをプライバシー対応品に変更することは容易である。
【００１３】
また、氏名表示部のみをカバーし、個別表示灯、室番表示部、選局ボタンなどはそのまま表面に露出させられるので、通常は、遮蔽板を閉じたままナースコール親機を使用したとしても支障となることは少ない。患者氏名の記憶があいまいな場合などに限り遮蔽板を開けて氏名表示部を確認すれば済む。
【発明を実施するための最良の形態】
【００１４】
図１は、本発明の一実施例を示すプライバシー保護用アタッチメントの外観図である。
プライバシー保護用アタッチメント１は、透明度を考慮して合成樹脂材のポリプロピレンで一体成型されている。
【００１５】
プライバシー保護用アタッチメント１は、透明板２、遮蔽板３および両者２、３を弾性的に連結するヒンジ４で構成され、常態においては、透明板２、遮蔽板３はヒンジ４の弾性でほぼ９０°開いた状態を保持できるようになっている。
【００１６】
この状態から、遮蔽板３を、ヒンジ４の弾性に抗して、外側から押圧し、さらに、その端縁を透明板２の係止爪５に抗して折り畳む。そうすると、係止爪５が遮蔽板３端縁に引っ掛かり、係止爪５の作用で、折り畳んだ状態を保持できるようになっている。
【００１７】
いったん折り畳んだ遮蔽板３を開くときは、係止爪５を外側に押せばよく、そうすれば、係止爪５が遮蔽板３の端縁からの外れ、ヒンジ４の弾性作用で遮蔽板３は図の開いた状態に復帰する。
【００１８】
なお、遮蔽板３は、図示の例では、その表面に塗装処理を施して不透明にしてあるが、不透明シートを貼り付けたり、印刷手段などで不透明にしても良い
６は、透明板１をナースコール親機に固定するための取付穴である。
【００１９】
図２は、前述したプライバシー保護用アタッチメント１をナースコール親機７に取付ける前後の状態を示す説明図である。
【００２０】
図２（ａ）は、取付前を示す。ナースコール親機７は、送受器８、マイク９、呼出音スピーカ１０、操作部１１、操作表示部１２を有する一般的なものである。
【００２１】
操作表示部１２は、実施例の２０回線の場合、操作表示列ユニット１３を横２列に並べてある。
【００２２】
各操作表示列ユニット１３は拡大図に示す個別操作表示部１４を縦に１０個組並べて配置してある。個別操作表示部１４は、拡大図に示すように、個別表示灯１５、選局ボタン１６、室番表示部１７、救護区分表示部１８、氏名表示部１９から構成されている。
【００２３】
図２（ロ）は、取付後を示す。
【００２４】
１は、操作表示部１２に取付けられたプライバシー保護用アタッチメントであり、図の状態は、遮蔽板３が閉じられた状態を示している。この状態では、氏名表示部９に表示されている患者の氏名は確認できない。
【００２５】
アタッチメント１の上下両端部は操作表示部１２の上下部分に固定されている。この場合、固定方法は問わない。例えば、図示の例では両面テープで固定してあるが、取付穴６を介してねじ止めすることもできる。
【００２６】
図に明確なように、プライバシー保護用アタッチメント１は、操作表示列ユニット１３の氏名表示部１９全体をカバーする寸法に形成され、個別表示灯１５、選局ボタン１６、室番表示部１７、救護区分表示部１８の部分にはかからない。
【００２７】
すなわち、プライバシー保護用アタッチメント１の遮蔽板３の開閉に係わらず、個別表示灯１５、選局ボタン１６、室番表示部１７、救護区分表示部１８は表に露出したままとなり、個別表示灯１５の確認や選局ボタン１６の操作などには支障がない。
【００２８】
患者の氏名を知りたい場合は、プライバシー保護用アタッチメント１の遮蔽板３を前述した要領で開け、透明板２を透して氏名を確認すればよい。氏名の確認が済み次第、遮蔽板３を閉じる方向に押す。そうすれば、係止爪の作用で遮蔽板３を閉めた状態を保持することができる。
【図面の簡単な説明】
【００２９】
【図１】本発明の１実施例におけるプライバシー保護用アタッチメントの外観図。
【図２】本発明の１実施例におけるプライバシー保護用アタッチメントをナースコール親機に取付ける前後の状態を示す説明図。
【符号の説明】
【００３０】
１    プライバシー保護用アタッチメント
２    透明板
３    遮蔽板
４    ヒンジ
５    係止爪
７    ナースコール親機
１２    操作表示部
１３    操作表示列ユニット
１４    個別操作表示部
１５    個別表示灯
１６    選局ボタン
１７    室番表示部
１８    救護区分表示部
１９    氏名表示部
【図１】
2007174452.tif 000003
【図２】
2007174452.tif 000004